(57)【要約】      （修正有）【課題】芸能関係者同士の思惑や縁故に左右されることなく、消費者のオーダーが、直に自己収入に反映され、人気のバロメーターも正確に測れ、メディアへの露出具合に影響されず、世論が正確に反映されるようにする。【解決手段】タレントが消費者のニーズをダイレクトに反映させた、オーダーメイドの映像などを制作販売することにより、クライエントの意向や、所属会社の力関係とは無関係に、消費者の支持が存在する限り、芸能活動を半永久的に継続できるようにした。【選択図】なし【特許請求の範囲】
【請求項１】
タレントが、ファンのニーズをダイレクトに反映させた、オーダーメイドの商品を販売すること。消費者のニーズが存在する限り、芸能活動を半永久的に継続することが出来ること。業界関係者同士の縁故や思惑、裏金に左右されることなく、消費者の注文数が直接、自己収入に反映され続けることで、人気のバロメーターも正確に測れるだけでなく、メディアへの露出具合に左右されず、世論が直に反映されること。ここで実現する映像は無論短時間の単位ではあるが、元々その販売時には、他ファンによる既存映像とのセット販売を前提とすることで、他のファンが演出した設定やセリフが、事前に閲覧できて消費者は選べること。セット販売時に、選ばれた既存の演出作品には、ペイバックする方式としたこと。さらには、カメラワークまで拘る熱狂的なファンなら、高額な参加費用を徴収し、自分の作品は自分で撮らせること。つまり、消費者がそのタレントをプロデュースする演出家になれる面白さ。さらに、演出具合が上手ければ、購入額よりも、販売ロイヤリティが上回るという実収入のメリットを与えることで、顧客を増やすと共に、従来なかった新たなマーケットを開拓できること。
【発明の詳細な説明】
【発明の詳細な説明】
【技術分野】
【０００１】本発明は、著名人・ＡＶ女優・芸能人・人気タレントなどの芸能活動の分野に関するものである。販売するメディアは映像に限らず、写真、音声、楽曲の場合も含むが、説明の便宜上、最もニーズが高いと思われる、映像という表現で解説を行ってゆくが、これら四種を含んだものである。
【背景技術】
【０００２】従来、人気タレントの芸能活動は、制作会社を含むクライエント側やスポンサー側の意向次第で決められ、それに消費者が従わされている。また所属する事務所の縁故や力関係で決まる。引退時期も然り。そこには実際のファンの意向は、介入する余地など全くない。つまり、消費者ニーズを全く無視した決定が成されている。またアダルトビデオ市場における映像も然り。お気に入りの女優でも、販売メーカー側がどの様な撮り方をするか次第であり、存在する中から選ばされている。鑑賞時に、その撮り方やアングルに不満を抱いても、作り手側に、消費者が合わせるしか無かった。
【発明が解決しようとする課題】
【０００３】従来のタレント活動の問題点は、タレントの露出具合や去就までをクライエント側、つまり売り手が決定している点である。消費者もタレント自身も、その決定を望まなくても、従わざるをえない。媒体が、ＴＶであれ舞台・ＣＤ・ビデオであれ、その媒体を配信している会社が実権を握り、それに消費者が合わせざるを得ない構図。つまり芸能活動とは、５つの問屋を経由した流通と呼べる。勧誘した発見者（スカウトマン）の思惑と付き合い、所属事務所の思惑と付き合い、作り手企業の思惑、媒体を配信する企業の思惑、そこへのスポンサーの実権。ここまでを経由して、ようやく消費者のニーズが、１名のタレントにだけは伝わる。１名だけに。しかも、かなり湾曲した経由後に。また、これだけ中間マージンを乗せられたら、結果として高額になって当然。中間マージンを除いた流通が主流の現代において、最後の最後まで、そうは成らない閉ざされたマーケットであるとも呼べる。
【０００４】本発明は、このような従来の芸能活動が有している問題点を解決しようとするものあり、芸能人の引退時期を消費者が決定することが可能になるばかりでなく、購入したファン側も、収入が得られるかも知れないペイバック方式で、全く新たなマーケットを新規開拓しようというものである。
【課題を解決するための手段】
【０００５】そして本発明は、上記目的を達成するために、所属事務所または本人が直接運営するホームページを、消費者とのダイレクト取引の媒体とする仕組みとした。
【発明を実施するための最良の形態】
【０００６】以下に、本発明の実態の形態を説明する。まずこれら、ファンによるオーダーメイド映像の用途、つまりそのニーズとしては多種多様が考えられるが、具体例を上げれば、「サイン代わりとして、いちファンである私へビデオレターが欲しい。私の名前を呼んで欲しい」。「友人・知人などへ誕生日プレゼントとしての映像」。「意中の女性・男性へ告白メッセージ代行のビデオ」。「上司や親への、言いにくい白状の代行ビデオ」。「小粋な、お歳暮やお中元」「一人称でのミニドラマ、それを私相手に語りかけて欲しい」「純粋に演出したイメージビデオ映像として」等々。憧れのタレントから独自の映像を買えるならば、ニーズとしては非常に高い。さらに、もしこれをＡＶ女優のアダルト映像などに適用した場合なら、「オーダーメイドのＡＶ」として爆発的なヒットも予想される。【０００７】本発明の骨格は、所属事務所やタレントが、インターネットを用いて、末端消費者であるファンから直接的にニーズを受け取り、オーダーメイドの映像などにして実現するものである。ファンには購入させるだけでなく、ペイバック方式も前提としているため当然会員制。ユーザーＩＤ、パスワード、監督名、メールアドレス等を初期登録して、各顧客ごとの専用室を設ける。専用室からオーダーする際は、各映像は短時間の作品であるため、自分の注文内容も限定される反面、他人のこれまでの既存映像も何点か選べる。価格により、自分１点に他人のを２点なり、３，４点なりとランダムに設定できる。この既存映像を選んだ後で、最後に自分の映像の発注となる。まずは映像の用途を選ぶ。用途は上述したとおり。または、これがアダルト映像なら、よく耳にするあれらのジャンル名が、用途にあたる。次にメイン注文フォームに、発注内容を文章で入力する。この内容には画像も添付できる。つまり、画像のアングルまでを、絵コンテで指示することを可能にする目的である。このメイン注文フォームへの入力が済めば、運営者が注文内容の確認と、問題ありなら交渉に入る。つまり注文内容を見て実現可能か否かを判断し、無理な内容なら、交渉するか拒否する画面である。これらの動きに関しては、注文も交渉も、それへの返答も、双方のメールに通知することで即時性を備える。そして注文内容ｆｉｘなら、決定となり金額を表示する。受注は以上の流れ。【０００８】ここで事前に、各映像に用途を加えさせている理由には、顧客ごとの趣味趣向に応じ易くするためだけでなく、撮影する運営者側でも、撮影当日の流れをスムーズに進行させる狙いもある。つまり、同じ又は似たような映像だけを同じ日に撮影できるから、従来のＴＶやビデオ作品よりも、非常にスムーズ、かつ低コストかつ短時間で進行できる。【０００９】発注したファンの支払いを確認後に、撮影を実施し、原則はｗｅｂ上の専用室からダウンロードさせるのが最も迅速。または別途送料を加算しＣＤ−ＲＯＭ化も。【００１０】この時、既存映像から選ばれた別のファン演出による映像は、選択されるたびにロイヤリティとして、以前演出した顧客にもペイバックする。そのロイヤリティのペイバックは、熱心なファンなら次回購入時に値引きを選ぶだろうし、現金化を希望するファンも当然いるだろう。【００１１】ここで少数ながら予想されるのが、絵コンテまで添付して指示したのに、作品内でのカメラワークに不満だという、玄人裸足の客層も予想される。そこまで拘るタイプなら、更に別途費用を徴収して、撮影日に自分の作品は自分で撮影して貰う。憧れのタレントに直接会えるのだから、その様な高額出費でも惜しまぬファンは、予想するだけでも相当数であろう。むしろそれだけで、タレントは食べて行ける収入になるかも知れない。内容別に括って効率的な撮影が実現できるだけでなく、顧客の地方別の括りで撮影を実施し、別の意味での地方巡業も可能となる。コンサート収入などよりも直接的な高額を得られるかも知れない。違いは、一方的なショーで安いか、高額だが直接的な接点か。どちらにせよ、従来とは全く違うタレントの収入源と呼べる。
【発明の効果】
【００１２】本来タレント活動とは、その顔と知名度で金を生む商売であったにも関らず、そこに肉付けされる装飾や、事前の準備、高額な会場費用などを要するから、先行投資や維持費が膨大となり困難な状況を迎えるだけの話し。元々この様な独自映像の個人販売なら、言葉どおり、体一つで金を生むことが出来る。しかもファンにとっても、最も納得できるオーダーメイドという形で。これにより長く半永久的なタレント活動が可能となる。またファンのニーズが如実に収入額に反映され、メディア配信企業、スポンサーの思惑に左右されないフェアな社会評価が下される。長年熱心に想い焦がれるファンの期待も裏切ることなく、半永久的なタレントで在り続ける事が可能となるのだ。またこれがアダルト映像であるなら、まさに「オーダーメイドのＡＶ」。それこそ、爆発的なヒットとニーズが予想される。